(57)【要約】【課題】固定治具に把持された光ファイバセンサの張力を容易に調整し、光ファイバセンサの角度を容易に調整することができるようにする。【解決手段】  構造物の変形を光により検出する光ファイバセンサを固定する光ファイバセンサ固定装置１であって、前記光ファイバセンサを固定するための固定治具５とこの固定治具５を固定するための固定台座７とからなり、この固定台座７に光ファイバセンサの張力を調整するための張力調整手段９を備え、前記固定台座７に前記固定治具５の左右方向および高さ方向の角度を調整する角度調整手段１１を備えてなることを特徴とする。【選択図】図１
2006046923.tif 000002
【特許請求の範囲】
【請求項１】
構造物の変形を光により検出する光ファイバセンサを固定する光ファイバセンサ固定装置であって、前記光ファイバセンサを固定するための固定治具とこの固定治具を固定するための固定台座とからなり、この固定台座に光ファイバセンサの張力を調整するための張力調整手段を備えてなることを特徴とするセンシング用光ケーブル固定装置。
【請求項２】
構造物の変形を光により検出する光ファイバセンサを固定する光ファイバセンサ固定装置であって、前記光ファイバセンサを固定するための固定治具とこの固定治具を固定するための固定台座とからなり、前記固定台座に前記固定治具の左右方向および高さ方向の角度を調整する角度調整手段を備えてなることを特徴とするセンシング用光ケーブル固定装置。
【請求項３】
構造物の変形を光により検出する光ファイバセンサを固定する光ファイバセンサ固定装置であって、前記光ファイバセンサを固定するための固定治具とこの固定治具を固定するための固定台座とからなり、この固定台座に光ファイバセンサの張力を調整するための張力調整手段を備えると共に前記固定台座に前記固定治具の左右方向および高さ方向の角度を調整する角度調整手段を備えてなることを特徴とするセンシング用光ケーブル固定装置。
【発明の詳細な説明】
【技術分野】
【０００１】
この発明は、光ファイバのブリルアン散乱光を利用した測定器ＢーＯＴＤＲによる斜面崩落監視システムにおいて使用するセンシング用光ケーブル固定装置に関する。
【背景技術】
【０００２】
光ファイバのブリルアン散乱光を利用した測定器ＢーＯＴＤＲによる斜面崩落監視システムでは、一般的な方法として岩盤にセンシング用光ケーブルが一定の張力を加えて敷設される。岩盤の崩落などによってセンシング用光ケーブルに加わる張力変化が発生し、その変化量を前記測定器ＢーＯＴＤＲを用いてモニターすることで崩落斜面の移動量を観測している。
【０００３】
従来から例えば特許文献１として知られているセンシング用光ケーブルの固定治具の構造は、光ケーブルを挟み込む一対の治具本体を備えている。このセンシング用光ケーブルの固定治具が岩盤斜面等に固定された例えばＬ型固定座にはめ込まれ、前記固定治具の外面にはナットをはめ込むための溝が形成されている。そして、前記Ｌ型固定座の両側からナットを締め付けることで、光ケーブルの把持および光ケーブルの張力調整が行われている。
【特許文献１】特開２００１−２８１４６２号公報
【発明の開示】
【発明が解決しようとする課題】
【０００４】
ところで、上述した従来の前記固定治具では、ナットをスパナ等の工具を用いて回転させ、張力調整を行うが、調整したい張力にするためには、何度もナットを回さなければならない。そのため、張力調整作業に時間が掛かってしまうという問題がある。
【０００５】
また、岩盤斜面に凹凸があり、その凹凸をさけるために前記Ｌ型固定座を置く台を高くしたり、支柱をたてて、その支柱にＬ型固定座を取り付けつける方法が取られている。この場合、片方の固定点ともう一方の固定点とで、傾斜ができてしまうことがあり、Ｌ型固定座に角度調整機構を取り付けなければならないという問題がある。
【０００６】
この発明は上述の課題を解決するためになされたものである。
【課題を解決するための手段】
【０００７】
上記発明が解決しようとする課題を達成するためにこの発明のセンシング用光ケーブル固定装置は、構造物の変形を光により検出する光ファイバセンサを固定する光ファイバセンサ固定装置であって、前記光ファイバセンサを固定するための固定治具とこの固定治具を固定するための固定台座とからなり、この固定台座に光ファイバセンサの張力を調整するための張力調整手段を備えてなることを特徴とするものである。
【０００８】
この発明のセンシング用光ケーブル固定装置は、構造物の変形を光により検出する光ファイバセンサを固定する光ファイバセンサ固定装置であって、前記光ファイバセンサを固定するための固定治具とこの固定治具を固定するための固定台座とからなり、前記固定台座に前記固定治具の左右方向および高さ方向の角度を調整する角度調整手段を備えてなることを特徴とするものである。
【０００９】
この発明のセンシング用光ケーブル固定装置は、構造物の変形を光により検出する光ファイバセンサを固定する光ファイバセンサ固定装置であって、前記光ファイバセンサを固定するための固定治具とこの固定治具を固定するための固定台座とからなり、この固定台座に光ファイバセンサの張力を調整するための張力調整手段を備えると共に前記固定台座に前記固定治具の左右方向および高さ方向の角度を調整する角度調整手段を備えてなることを特徴とするものである。
【発明の効果】
【００１０】
以上のごとき課題を解決するための手段の説明から理解されるように、この発明によれば、前記固定台座に光ファイバセンサの張力を調整するための張力調整手段が備えられているから、固定治具に把持された光ファイバセンサの張力を容易に調整することができる。
【００１１】
また、前記固定台座に前記固定治具の左右方向および高さ方向の角度を調整する角度調整手段が備えられているから、容易に固定治具すなわち、光ファイバセンサの角度を容易に調整することができる。
【発明を実施するための最良の形態】
【００１２】
以下、この発明の実施の形態について図面を参照して詳細に説明する。
【００１３】
図１を参照するに、この発明のセンシング用光ケーブル固定装置１は、図示省略の構造物の変形を光により検出する光ファイバセンサを固定する装置であって、光ファイバセンサとしての光ケーブル３を固定するための固定治具５とこの固定治具５を固定するための固定台座７とからなっている。この固定台座７には光ケーブル３の張力を調整するための張力調整手段９が備えられていると共に前記固定台座７に前記固定治具５の左右方向および高さ方向の角度を調整する角度調整手段１１が備えられている。
【００１４】
より詳細には、図１において支柱１３の上側に構造物としての例えば岩盤が設けられていて、この岩盤の斜面に前記支柱１３が図示省略のアンカボルトと支持部材を介して固定される。そして、前記支柱１３の外周には支柱クランプ１５を構成する二股形状の第１湾曲部１７Ａと第２湾曲部１９Ａの一端がピンＰで連結されて囲繞され、第１湾曲部１７Ａに一体化された第１ストレート部１７Ｂと第２湾曲部１９Ａに一体化された第２ストレート部１９Ｂの他端間に例えばＬ字形状の水平部２１Ａとこの水平部２１Ａの左側下方向に折り曲げられた垂直部２１Ｂとで構成された固定プレート２１が挿入される。この固定プレート２１における水平部２１Ａの図１において右側には雌ねじ２３が形成されていると共に前記第１ストレート部１７Ｂ、第２ストレート部１９Ｂにも前記雌ねじ２３に対応した位置に穴１７Ｃ、１９Ｃが形成されている。この穴１７Ｃ、１９Ｃ、雌ねじ２３にボルト２５が上方から挿入されてナット２７で締めることで固定プレート２１における水平部２１Ａがボルト２５とナット２７とで上下方向の回転すなわち、上下方向の角度を調整すべく固定される。
【００１５】
また、前記第１ストレート部１７Ｂ、第２ストレート部１９Ｂの支柱１３側寄りには穴１７Ｄ、１９Ｄが形成されており、この穴１７Ｄ、１９Ｄにボルト２９が上方から挿入されてナット３１で締めることで固定プレート２１における水平部２１Ａがボルト２９とナット３１とで左右方向の回転すなわち、左右方向の角度を調整すべく固定される。
【００１６】
前記固定プレート２１の図１において左側には第１水平部３３Ａとこの第１水平部３３Ａの左端に上方向へ折り曲げられた第１垂直部３３Ｂと前記第１水平部３３Ａの右端に上方向へ折り曲げられた第２垂直部３３Ｃとこの第２垂直部３３Ｃに図１において右側に折り曲げられた第２水平部３３Ｄとで構成された調整プレート３３が設けられている。前記第２水平部３３Ｄには長穴３５が形成されている。また、前記第２垂直部３３Ｃと前記垂直部２１Ｂとの対応した位置にはそれぞれ穴３７、３９が形成されている。
【００１７】
前記長穴３５には上方からボルト４１が挿入されて前記水平部２１Ａに形成された雌ねじ４３に螺合し固定される。また、前記穴３７、３９には図１において左側から調整ボルト４５が挿入されてナット４７によって調整プレート３３が固定プレート２１に対して図１において左右方向へ調整されるべく固定される。
【００１８】
前記第１垂直部３３Ｂには図２に示されているように例えばＵ字形状の切り欠き溝４９が形成されており、この切り欠き溝４９には左右方向へ延伸された半割形状の下クランプ５１Ｄと上クランプ５１Ｕとが上方から設けられている。そして、下クランプ５１Ｄと上クランプ５１Ｕの外周面にはねじ５３が形成されている。下クランプ５１Ｄと上クランプ５１Ｕとの間にセンシング用光ファイバとしての光ケーブル３が挿入されて前記下クランプ５１Ｄと上クランプ５１Ｕの左右両側において複数のケーブル金具５５を介してボルト５７で固定されると共に前記が第１垂直部３３Ｂにおける切り欠き溝４９を挟んで両側から前記ねじ５３に螺合されたナット５９により光ケーブル３が下クランプ５１Ｄと上クランプ５１Ｕとでクランプされる。
【００１９】
上記構成により、光ケーブル３の例えば左端に測定器ＢーＯＴＤＲを接続することで、岩盤の崩落などによってセンシング用光ケーブルである光ケーブル３に加わる張力変化が発生した際に、その変化量を前記測定器ＢーＯＴＤＲを用いてモニターすることで崩落斜面の移動量を観測することができる。
【００２０】
また、支柱１３に支柱クランプ１５を取り付け、ボルト２９を緩めて支柱クランプ１５を介して固定プレート２１を左右方向（図１において紙面に対して直交する方向）へ適宜回転させることで、左右方向の角度を調整し、ナット３１を締めることで左右方向の角度を調整することができる。また、ボルト２５を緩めて支柱クランプ１５を介して固定プレート２１を上下方向へ適宜回転させることで、上下方向の角度を調整し、ナット２７を締めることで左右方向の角度を調整することができる。
【００２１】
また、ボルト４１を緩めて調整ボルト４５で大まかに位置決めを行い、調整ボルト４５をナット４７で締める。その後、ボルト４１を締める。そして、光ケーブル３の張力を調整し、ボルト５７を締めることで光ケーブル３の張力を調整することができる。
【００２２】
このように、固定治具５に把持された光ファイバセンサである光ケーブル３の張力を容易に調整することができると共に容易に固定治具すなわち、光ファイバセンサである光ケーブル３の角度を容易に調整することができる。
【００２３】
図３には図１に代わる他の実施の形態が示されている。図３において、図１における部品と同じ部品には同一の符号を付して重複する説明を省略する。
【００２４】
図３において図１と異なっている点のみを説明する。図３におけるセンシング用光ケーブル固定装置６１においては、固定プレート６３が第１水平部６３Ａとこの第１水平部６３Ａの右端が上方へ折り曲げられた垂直部６３Ｂとこの垂直部６３Ｂの右端が水平に折り曲げられた第２水平部６３Ｃとで構成されている。この第２水平部６３Ｃには前記穴１７Ｃと対応した位置に穴６５が形成されている。また、第１水平部６３Ａには長穴６７が形成されている。
【００２５】
調整プレート６９が水平部６９Ａとこの水平部６９Ａの左端が上方へ折り曲げられた第１垂直部６３Ｂと前記水平部６９Ａの右端が上方へ折り曲げられた第２垂直部６３Ｃとで構成されている。第２水平部６３Ｃの穴６５は第１ストレート部１７Ｂ、第２ストレート部１９Ｂとに形成された穴１７Ｃ、１９Ｃに対応した位置に形成されていて、上方からボルト２５を挿入し、水平部６３Ｃと第２ストレート部１９Ｂとの間に設けたスキマ締め上げ用ゴム７１を介してナット２７で固定される。
【００２６】
前記調整プレート６９における第２垂直部６３Ｃには穴７３が、また、前記固定プレート６３における垂直部６３Ｂには穴７５がそれぞれ形成されていて、各穴７５、穴７３には調整ボルト４５が右側から挿入されナット４７で固定される。前記固定プレート６３における長穴６７にはボルト７５が挿入され、さらに、調整プレート６９における第２垂直部６３Ｃに形成された穴７７に挿入されて固定される。
【００２７】
上記構成により、光ケーブル３の例えば左端に測定器ＢーＯＴＤＲを接続することで、岩盤の崩落などによってセンシング用光ケーブルである光ケーブル３に加わる張力変化が発生した際に、その変化量を前記測定器ＢーＯＴＤＲを用いてモニターすることで崩落斜面の移動量を観測することができる。
【００２８】
また、支柱１３に支柱クランプ１５を取り付け、ボルト２９を緩めて支柱クランプ１５を介して固定プレート２１を左右方向（図１において紙面に対して直交する方向）へ適宜回転させることで、左右方向の角度を調整し、ナット３１を締めることで左右方向の角度を調整することができる。また、ボルト２５を緩めて支柱クランプ１５を介して固定プレート２１を上下方向へ適宜回転させることで、上下方向の角度を調整し、ナット２７を締めることで左右方向の角度を調整することができる。
【００２９】
また、ボルト７５を緩めて調整ボルト４５で大まかに位置決めを行い、調整ボルト４５をナット４７で締める。その後、ボルト７５を締める。そして、光ケーブル３の張力を調整し、ボルト５７を締めることで光ケーブル３の張力を調整することができる。
【００３０】
このように、固定治具５に把持された光ファイバセンサである光ケーブル３の張力を容易に調整することができると共に容易に固定治具すなわち、光ファイバセンサである光ケーブル３の角度を容易に調整することができる。
【００３１】
図４および図５には図１に代わる他の実施の形態が示されている。図４および図５において、図１における部品と同じ部品には同一の符号を付して重複する説明を省略する。
【００３２】
図４および図５において図１と異なっている点のみを説明する。図４および図５におけるセンシング用光ケーブル固定装置７９においては、固定プレート８１が水平部８１Ａとこの水平部８１Ａの左端が下方へ折り曲げられた垂直部８１Ｂとで構成されている。この水平部８１Ａには前記穴１７Ｃ、１９Ｃに対応した位置に穴８３が形成されていると共に前記垂直部８１Ｂには穴８５が形成されている。
【００３３】
前記固定プレート８１の左側には調整プレート８７が設けられている。この調整プレート８７は水平部８７Ａとこの水平部８７Ａの左端が下方へ折り曲げられた垂直部８７Ｂとで構成されている。そして、前記水平部８７Ａには長穴８９が形成されていると共にこの長穴８９にボルト９１が上方から挿入され前記水平部８１Ａに形成された雌ねじ９３で固定される。前記水平部８７Ａの左側の上には光ケーブル３がケーブル金具９５を介して複数のねじ９７で固定されている。前記調整プレート８７における垂直部８７Ｂに形成された穴９９に調整ボルト４５が左から挿入されると共に垂直部８１Ｂに形成された穴８５に挿入されてナット４７で固定される。
【００３４】
上記構成により、光ケーブル３の例えば左端に測定器ＢーＯＴＤＲを接続することで、岩盤の崩落などによってセンシング用光ケーブルである光ケーブル３に加わる張力変化が発生した際に、その変化量を前記測定器ＢーＯＴＤＲを用いてモニターすることで崩落斜面の移動量を観測することができる。
【００３５】
また、支柱１３に支柱クランプ１５を取り付け、ボルト２９を緩めて支柱クランプ１５を介して固定プレート８１を左右方向（図５において左右方向）へ適宜回転させることで、左右方向の角度を調整し、ナット３１を締めることで左右方向の角度を調整することができる。また、ボルト２５を緩めて支柱クランプ１５を介して固定プレート８１を図４において上下方向へ適宜回転させることで、上下方向の角度を調整し、ナット２７を締めることで左右方向の角度を調整することができる。
【００３６】
また、ボルト９１を緩めて調整ボルト４５で大まかに位置決めを行い、調整ボルト４５をナット４７で締める。その後、ボルト９１を締める。そして、光ケーブル３の張力を調整し、ボルト９７を締めることで光ケーブル３の張力を調整することができる。
【００３７】
このように、固定治具５に把持された光ファイバセンサである光ケーブル３の張力を容易に調整することができると共に容易に固定治具すなわち、光ファイバセンサである光ケーブル３の角度を容易に調整することができる。
【００３８】
図６、図７および図８には図１に代わる他の実施の形態が示されている。図６、図７および図８において、図１における部品と同じ部品には同一の符号を付して重複する説明を省略する。
【００３９】
図６、図７および図８において図１と異なっている点のみを説明する。図６、図７および図８におけるセンシング用光ケーブル固定装置１０１においては、支柱１３の上側外周面が逆Ｕ字形状のアイロック部材１０３で囲繞されている。しかも、前記支柱１３の下面は固定プレート１０５に支持されている。この固定プレート１０５は水平部１０５Ａとこの水平部１０５Ａの左右端で上方向へ折り曲げられた第１垂直部１０５Ｂ、第２垂直部１０５Ｃとで構成されている。この固定プレート１０５の下部には調整プレート１０７が設けられている。しかも、この調整プレート１０７は水平部１０７Ａとこの水平部１０７Ａの左端で上方向へ折り曲げられた垂直部１０７Ｂとで構成されている。
【００４０】
前記固定プレート１０５における水平部１０５Ａにはアイロック部材１０３の各下端を挿入するための穴１０９が形成されていると共にこの穴１０９に対応した部分における固定プレート１０５には長穴１１１Ａ、１１１Ｂが形成されている。したがって、アイロック部材１０３の各下端が各穴１０９、長穴１１１Ａ、１１１Ｂに上方から挿入されて各ナット１１３で固定される。
【００４１】
また、前記固定プレート１０５における水平部１０５Ａの両側には穴１１５が形成されている。この各穴１１５の上方からボルト１１７が挿入されると共に長穴１１１Ａ、１１１Ｂにも挿入されてナット１１９で固定される。前記調整プレート１０７における垂直部１０７Ｂには雌ねじ１２１が形成されていて、この雌ねじ１２１に左側から調整ボルト１２３が螺合され、しかも、この調整ボルト１２３の先端が固定プレート１０５における第１垂直部１０５Ｂに当接される。そして、調整ボルト１２３を回転させることにより、雌ねじ１２１を介して調整プレート１０７が図７において左右方向へ移動されることになる。調整プレート１０７の固定は調整ボルト１２３に螺合されているナット１２５で固定される。
【００４２】
前記調整プレート１０７における水平部１０７Ａの右側の下部にはケーブル固定用の固定プレート１２７が設けられている。この固定プレート１２７は水平部１２７Ａと垂直部１２７Ｂとで構成されている。そして、水平部１２７Ａと前記水平部１０７Ａの右側部とはボルト１２９とナット１３１とで固定される。前記垂直部１２７Ｂには図２に示されているのと同様に例えばＵ字形状の切り欠き溝１３３が形成されており、この切り欠き溝１３３には左右方向へ延伸された半割形状の下クランプ１３５Ｄと上クランプ１３５Ｕとが下方から設けられている。そして、下クランプ１３５Ｄと上クランプ１３５Ｕの外周面にはねじ１３７が形成されている。下クランプ１３５Ｄと上クランプ１３５Ｕとの間にセンシング用光ファイバとしての光ケーブル３が挿入されて前記下クランプ１３５Ｄと上クランプ１３５Ｕの左右両側において複数のケーブル金具１３９を介してボルト１４１で固定されると共に前記が垂直部１２７Ｂにおける切り欠き溝１３３を挟んで両側から前記ねじ１２７に螺合されたナット１４３により光ケーブル３が下クランプ１３５Ｄと上クランプ１３５Ｕとでクランプされる。
【００４３】
上記構成により、光ケーブル３の例えば左端に測定器ＢーＯＴＤＲを接続することで、岩盤の崩落などによってセンシング用光ケーブルである光ケーブル３に加わる張力変化が発生した際に、その変化量を前記測定器ＢーＯＴＤＲを用いてモニターすることで崩落斜面の移動量を観測することができる。
【００４４】
また、支柱１３にアイロック部材１０３を取り付け、ナット１１３を緩めてアイロック部材１０３を介して固定プレート１０５を図６において左右方向へ適宜回転させることで、上下方向の角度を調整し、ナット１１３を締めることで上下方向の角度を調整することができる。また、ナット１３１を緩めて固定プレート１２７を図６において紙面に対して直交する方向へ適宜回転させることで、左右方向の角度を調整し、ナット１３１を締めることで左右方向の角度を調整することができる。
【００４５】
また、ボルト１１７を緩めて調整ボルト１２３で大まかに位置決めを行い、調整ボルト１２３をナット１２５で締める。その後、ボルト１１７を締める。そして、光ケーブル３の張力を調整し、ボルト１３９を締めることで光ケーブル３の張力を調整することができる。
【００４６】
このように、固定治具５に把持された光ファイバセンサである光ケーブル３の張力を容易に調整することができると共に容易に固定治具すなわち、光ファイバセンサである光ケーブル３の角度を容易に調整することができる。
【図面の簡単な説明】
【００４７】
【図１】この発明のセンシング用光ケーブル固定装置の正面図である。
【図２】図１における調整ボルトの先端部における斜視図である。
【図３】この発明の他のセンシング用光ケーブル固定装置の正面図である。
【図４】この発明のさらに他のセンシング用光ケーブル固定装置の正面図である。
【図５】図４における平面図である。
【図６】この発明の別のセンシング用光ケーブル固定装置の正面図である。
【図７】図６における平面図である。
【図８】図６における側面図である。
【符号の説明】
【００４８】
１、６１、７９、１０１  センシング用光ケーブル固定装置
３  光ケーブル（光ファイバセンサ）
５  固定治具
７  固定台座
９  張力手段
１１  角度調整手段
１３  支柱
１５  支柱クランプ
１７Ａ  第１湾曲部
１７Ｂ  第１ストレート部
１７Ｃ、１７Ｄ  穴
１９Ａ  第１湾曲部  
１９Ｂ  第１ストレート部
１９Ｃ、１９Ｄ  穴
２１、６３、８１  固定プレート
２１Ａ  水平部
２１Ｂ  垂直部
２３、４３、９３  雌ねじ
２５、２９、４１、５７、７５、９１、１２９、１４１  ボルト
２７、３１、４７、５９、７７、９９、１３１、１４３  ナット
３３、６９、８７  調整プレート
３５、６７、８９  長穴
３７、３９、６５、７３、８３、８５  穴
４５、１２３  調整ボルト
４９、１３３  切り欠き溝
５１Ｕ、１３５Ｕ  上クランプ
５１Ｄ、１３５Ｄ  下クランプ
５３  ねじ
５５、１３９  ケーブル金具
１０３  アイロック部材
１２７  固定プレート
【図１】
2006046923.tif 000003
【図２】
2006046923.tif 000004
【図３】
2006046923.tif 000005
【図４】
2006046923.tif 000006
【図５】
2006046923.tif 000007
【図６】
2006046923.tif 000008
【図７】
2006046923.tif 000009
【図８】
2006046923.tif 000010